(57)【要約】【課題】フォークリフトなどの運搬機器を使用して運搬を行う際に、製品に傷みが生じることを防ぐ梱包体を提供する。【解決手段】梱包体１は、複数の包装体１０からなる下階層３１、幅狭階層３３及び上階層３２を有し、幅狭階層３３の左右幅が下階層３１及び上階層３２よりも狭く形成されて側面部に挿入部３４が形成され、この挿入部３４に、フォークリフトのフォーク部が当接する補強部材４０が取り付けられている。【選択図】図１
0003233887.tif 000002
【実用新案登録請求の範囲】
【請求項１】
左右方向及び前後方向に並べられた複数の包装体からなる下階層と、
左右方向及び前後方向に並べられた複数の包装体からなる幅狭階層と、
左右方向及び前後方向に並べられた複数の包装体からなる上階層とが、順に高さ方向に積層された梱包体であって、
前記幅狭階層は、前記下階層及び前記上階層よりも左右方向の幅が狭く形成されたことで、左右の両側面部に、前後方向に延設して貫通した挿入部が形成され、
前記挿入部は、フォークリフトのフォーク部が当接する補強部材が取り付けられ、
前記補強部材は、前記挿入部において前記上階層の下側端部に当接した上壁部と、前記挿入部において前記側面部に当接した側壁部と、前記挿入部において前記下階層の上側端部に当接した下壁部とから、断面がコの字状に形成され、コの字の開口部が外側に向けられた、
ことを特徴とする梱包体。
【請求項２】
左右方向及び前後方向に並べられた複数の包装体からなる下階層と、
左右方向及び前後方向に並べられた複数の包装体からなる幅狭階層と、
左右方向及び前後方向に並べられた複数の包装体からなる上階層とが、順に高さ方向に積層された梱包体であって、
前記幅狭階層は、前記下階層及び前記上階層よりも左右方向の幅が狭く形成されたことで、左右の両側面部に、前後方向に延設して貫通した挿入部が形成され、
前記挿入部は、フォークリフトのフォーク部が当接する補強部材が取り付けられ、
前記補強部材は、前記挿入部において前記上階層の下側端部に当接した上壁部と、前記挿入部において前記側面部に当接した第一側壁部と、前記挿入部において前記第一側壁部と対面した第二側壁部とから、断面がコの字状に形成され、コの字の開口部が前記下階層の上側端部に向けられた、
ことを特徴とする梱包体。
【請求項３】
左右方向及び前後方向に並べられた複数の包装体からなる下階層と、
左右方向及び前後方向に並べられた複数の包装体からなる幅狭階層と、
左右方向及び前後方向に並べられた複数の包装体からなる上階層とが、順に高さ方向に積層された梱包体であって、
前記幅狭階層は、前記下階層及び前記上階層よりも左右方向の幅が狭く形成されたことで、左右の両側面部に、前後方向に延設して貫通した挿入部が形成され、
前記挿入部は、フォークリフトのフォーク部が当接する補強部材が取り付けられ、
前記補強部材は、前記挿入部において前記上階層の下側端部に当接した上壁部と、前記挿入部において前記側面部に当接した第一側壁部と、前記挿入部において前記第一側壁部と対面した第二側壁部と、前記挿入部において前記下階層の上側端部に当接した下壁部とから、断面がボックス状に形成された、
ことを特徴とする梱包体。
【請求項４】
周囲が梱包フィルムで包まれた、
ことを特徴とする請求項１から請求項３のいずれか１項に記載の梱包体。
【考案の詳細な説明】
【技術分野】
【０００１】
本開示は、ティッシュペーパーやトイレットペーパーなどを複数個まとめて梱包し、工場内や倉庫内の移動や、輸送トラックなどへの積み込みや積み下ろしなどの作業を良好に行うことができる梱包体に関する。
【背景技術】
【０００２】
ティッシュペーパーやトイレットペーパーなどの薄葉紙は、重量が軽いため、工場内の移動や出荷輸送などを行う場合には、例えば、製品の販売単位となる包装体を複数個まとめて梱包することで梱包体を作製し、この梱包体を移動させている。
例えば、従来からフォークリフトを使用して上記の梱包体を移動させる場合には、予め、梱包体をパレットに載置させておき、パレットの下側にフォークリフトのフォーク部を当接させて持ち上げていた。
上記のパレットは、梱包体をトラックに積載して運搬する最中には不要であり、また、梱包体を倉庫などに収納する場合には、パレットの収納場所が必要になる。
【０００３】
そのため、フォークリフト等を使用して梱包体を運搬するときには、適宜、梱包体をパレットに載置（固定）し、また、パレットから梱包体を降ろす作業が生じていた。
また、パレットに梱包体を載置させていないとき、このパレットの置き場所を設けることが必要になる。
【０００４】
上記の作業や置き場所などを省くため、パレットを使用することなく、フォークリフトによって運搬することができる梱包体が提案されている（特許文献１参照）。
この梱包体は、例えば、複数のトイレットペーパーを梱包体とするとき、複数のトイレットペーパーを並べて下階層および上階層が形成され、さらに、上階層と下階層との間に幅狭階層が形成されている。この幅狭階層の両側方には、フォークリフトのフォーク部を挿入させる挿入部が設けられている。
【先行技術文献】
【特許文献】
【０００５】
【特許文献１】特許第６６４７３４５号公報
【考案の概要】
【考案が解決しようとする課題】
【０００６】
複数個の包装体をまとめて梱包体を作製し、例えば、フォークリフトを用いて梱包体を運搬する場合、フォークリフトのフォーク部が当接する部分に梱包体の重量が加わり、この部分に傷みが生じる場合がある。
特に、ティッシュペーパーやトイレットペーパーなどの包装体は、複数個重ねた場合の重量に耐えられる強度を有するとは限らない。
そのため、多数の包装体を重ねた場合には、これらの重量によって、上記のフォーク部などに接している部分が潰れる、もしくは変形する場合がある。
即ち、梱包体を解体したとき、いくつかの包装体（製品）に傷みが生じている場合があり、製品の品質、信頼性を低減させてしまうことがある。
【０００７】
本開示は、フォークリフトを使用して効率よく梱包体を運搬することができるとともに運搬を行う際に、製品に傷みが生じることを防ぐ梱包体を提供する。
【課題を解決するための手段】
【０００８】
本開示に係る梱包体は、左右方向及び前後方向に並べられた複数の包装体からなる下階層と、左右方向及び前後方向に並べられた複数の包装体からなる幅狭階層と、左右方向及び前後方向に並べられた複数の包装体からなる上階層とが、順に高さ方向に積層された梱包体であって、前記幅狭階層は、前記下階層及び前記上階層よりも左右方向の幅が狭く形成されたことで、左右の両側面部に、前後方向に延設して貫通した挿入部が形成され、前記挿入部は、フォークリフトのフォーク部が当接する補強部材が取り付けられ、前記補強部材は、前記挿入部において前記上階層の下側端部に当接した上壁部と、前記挿入部において前記側面部に当接した側壁部と、前記挿入部において前記下階層の上側端部に当接した下壁部とから、断面がコの字状に形成され、コの字の開口部が外側に向けられた、ことを特徴とする。
また、本開示に係る梱包体は、左右方向及び前後方向に並べられた複数の包装体からなる下階層と、左右方向及び前後方向に並べられた複数の包装体からなる幅狭階層と、左右方向及び前後方向に並べられた複数の包装体からなる上階層とが、順に高さ方向に積層された梱包体であって、前記幅狭階層は、前記下階層及び前記上階層よりも左右方向の幅が狭く形成されたことで、左右の両側面部に、前後方向に延設して貫通した挿入部が形成され、前記挿入部は、フォークリフトのフォーク部が当接する補強部材が取り付けられ、前記補強部材は、前記挿入部において前記上階層の下側端部に当接した上壁部と、前記挿入部において前記側面部に当接した第一側壁部と、前記挿入部において前記第一側壁部と対面した第二側壁部とから、断面がコの字状に形成され、コの字の開口部が前記下階層の上側端部に向けられた、ことを特徴とする。
また、本開示に係る梱包体は、左右方向及び前後方向に並べられた複数の包装体からなる下階層と、左右方向及び前後方向に並べられた複数の包装体からなる幅狭階層と、左右方向及び前後方向に並べられた複数の包装体からなる上階層とが、順に高さ方向に積層された梱包体であって、前記幅狭階層は、前記下階層及び前記上階層よりも左右方向の幅が狭く形成されたことで、左右の両側面部に、前後方向に延設して貫通した挿入部が形成され、前記挿入部は、フォークリフトのフォーク部が当接する補強部材が取り付けられ、前記補強部材は、前記挿入部において前記上階層の下側端部に当接した上壁部と、前記挿入部において前記側面部に当接した第一側壁部と、前記挿入部において前記第一側壁部と対面した第二側壁部と、前記挿入部において前記下階層の上側端部に当接した下壁部とから、断面がボックス状に形成された、ことを特徴とする。
また、本開示に係る梱包体は、周囲が梱包フィルムで包まれた、ことを特徴とする。
なお、梱包体の製造方法として、複数の包装体を並べて下階層、上階層、および、幅狭階層を形成させる第１工程と、前記下階層と前記上階層との間に積層配置された前記幅狭階層の両側方に形成された挿入部に、フォークリフトのフォーク部を当接させる補強部材を取付ける第２工程と、を有し、前記第１工程は、前記複数の包装体からなる梱包体の幅方向の大きさが、前記下階層および前記上階層よりも小さく前記幅狭階層を形成させる第３工程と、前記梱包体の正面側から背面側へ延設された前記挿入部が、前記幅狭階層の両側方に形成されるように、前記下階層、前記幅狭階層、および、前記上階層を積層させる第４工程と、を含み、前記第２工程は、前記フォークリフトのフォーク部の長さに対応する長手方向の長さを有する前記補強部材を取付け、前記補強部材の第１の部位を、前記上階層の下側端部に当接させ、前記第１の部位を前記上階層の下側端部に当接させるように支持する前記補強部材の第２の部位を、前記下階層、前記上階層、および、前記幅狭階層の各側面部に対して平行となるように配置させることを特徴としてもよい。
【考案の効果】
【０００９】
本開示によれば、フォークリフトを使用して効率よく梱包体を運搬することができるとともに、運搬の際に梱包体を構成する製品が傷むことを防ぐことができる。
【図面の簡単な説明】
【００１０】
【図１】本開示の実施形態１による梱包体の概観を示す斜視図である。
【図２】図１の梱包体を形成している包装体の概観を示す斜視図である。
【図３】図１の梱包体に備えられた補強部材の概観を示す斜視図である。
【図４】図１の梱包体を正面視したときの構成を示す説明図である。
【図５】本開示の実施形態２による梱包体に備える補強部材の概観を示す斜視図である。
【図６】図５の補強部材を取付けた梱包体を正面視したときの構成を示す説明図である。
【図７】本開示の実施形態３による梱包体に備える補強部材の概観を示す斜視図である。
【図８】図７の補強部材を取付けた梱包体を正面視したときの構成を示す説明図である。
【考案を実施するための形態】
【００１１】
本開示に係る梱包体の製造方法は、複数の包装体を並べて下階層、上階層、および、幅狭階層を形成させる第１工程と、下階層と上階層との間に積層配置された幅狭階層の両側方に形成された挿入部に、フォークリフトのフォーク部を当接させる補強部材を取付ける第２工程と、を含んでいる。
そして、第１工程は、複数の包装体からなる梱包体の幅方向の大きさが、下階層および上階層よりも小さく幅狭階層を形成させる第３工程と、梱包体の正面側から背面側へ延設された挿入部が、幅狭階層の両側方に形成されるように、下階層、幅狭階層、および、上階層を積層させる第４工程と、を含んでいる。
また、第２工程は、フォークリフトのフォーク部の長さに対応する長手方向の長さを有する補強部材を取付け、補強部材の第１の部位を上階層の下側端部に当接させ、第１の部位を上階層の下側端部に当接させるように支持する補強部材の第２の部位を下階層、上階層、および、幅狭階層の各側面部に対して平行となるように配置させる。
【００１２】
また、第２の工程において、補強部材が前記上階層に当接すると、フォークリフトが梱包体を持ち上げたときに梱包体の重量が拡散する面積で当接する。
【００１３】
また、第２の工程において、第１の部位から２つの第２の部位が延設され、長手方向に直交する断面が略コの字状に形成された補強部材を、補強部材の略コの字状の開口部分を下階層に向けて取付けることもできる。
【００１４】
また、第２の工程において、第１の部位から第２の部位が延設され、第２の部位から延設された第３の部位を備えて、長手方向に直交する断面が略コの字状に形成された補強部材を、補強部材の略コの字状の開口部分が梱包体の側方を向くように取付けることもできる。
【００１５】
また、第２の工程において、第１の部位から２つの第２の部位が延設され、２つの第２の部位の先端部分を繋ぐ第３の部位を備えて、長手方向に直交する断面がボックス形状に形成された補強部材を、下階層の上側端部に第３の部位が当接するように取付けることもできる。
【００１６】
さらに、第２の工程において、挿入部に補強部材を取付けた後、梱包体の正面側と背面側との間の側面部分を梱包フィルムで包み込む第５工程を含むこともできる。
【００１７】
以下、本開示に係る梱包体の実施形態を説明する。
（実施形態１）
図１は、本開示の実施形態１による梱包体の製造方法によって製造された梱包体１の概観を示す斜視図である。
梱包体１は、例えば、複数のトイレットペーパーをまとめて包装した包装体１０を複数積層させ、これらの周囲をストレッチフィルム等の梱包フィルム２０で包み込んだものである。
梱包体１は、下階層３１、下階層３１の上側に積み重ねられた幅狭階層３３、幅狭階層３３の上側に積み重ねられた上階層３２を有している。
下階層３１、上階層３２および幅狭階層３３は、いずれも包装体１０が複数列並べられたもので、図中、梱包体１の正面側の部分、および、図示されない梱包体１の背面側の部分が、それぞれ一様な平面となるように並べられている。換言すると、下階層３１、幅狭階層３３および上階層３２は、図中、奥行方向に同数の包装体１０が並べられている。
【００１８】
梱包体１は、上記の正面側の部分から背面側の部分にかけて、挿入部３４が形成されている。即ち、挿入部３４は、梱包体１の正面側から背面側に延設されている。
挿入部３４は、梱包体１の正面側と背面側との間に位置する側面部に、水平に延設された凹部であり、梱包体１を正面側（または背面側）から見たときに、幅狭階層３３の左側方及び右側方に、それぞれ形成されている。換言すると、幅狭階層３３は、図中、梱包体１の幅員方向Ｘにおいて、下階層３１および上階層３２よりも、少ない数の包装体１０が並べられて構成されている。即ち、幅狭階層３３は、梱包体１の幅員方向Ｘの大きさが、下階層３１ならびに高階層３２よりも小さい。
また、幅狭階層３３は、例えば、フォークリフトの２本のフォーク部が、左側及び右側の挿入部３４へ挿入できる幅員を有するように、適当な数の包装体１０を並べて構成されている。
【００１９】
梱包体１の各挿入部３４には、例えば、厚紙などで形成された補強部材４０が取付けられている。換言すると、梱包体１は、梱包体１を包み込んだ梱包フィルム２０と幅狭階層３３との間に、補強部材４０が挿入されている。補強部材４０は、梱包体１の前後方向Ｚにおいては、例えば挿入部３４の奥行と同様な長さを有しており、前後方向Ｚに直交する断面形状が、下方が開口した略コの字状に形成されている。
なお、梱包体１は、正面側および背面側において、挿入部３４の開口部を塞ぐように、又は塞がないように、梱包フィルム２０に包まれる。
【００２０】
図２は、梱包体１を形成している包装体１０の概観を示す斜視図である。
包装体１０は、トイレットペーパー１１を、例えば、２個ずつ２列に並べ、これを２段に積み上げた合計８個を、ビニルなどの樹脂フィルム製収納袋へ収納したものである。
なお、包装体１０は、複数のトイレットペーパー１１を収納袋に収納した製品以外にも、ティッシュペーパーなどを収納した段ボール箱等でもよい。
トイレットペーパー１１は、例えば、厚紙製の芯材を用いることなく、巻上げ製造された芯なしロールペーパーであり、巻上げ製造時に強い張力等を加えて一般的なトイレットペーパーよりも長尺の薄紙を巻上げたものである。なお、トイレットペーパー１１は、厚紙製の芯材を有するものと同様なロール径を有するように製造されている。
【００２１】
図３は、図１の梱包体１に備えられた補強部材４０の概観を示す斜視図である。
補強部材４０は、例えば、前述のように厚紙などの材料を用いて、前後方向Ｚ（補強部材４０における長手方向）に直交する断面形状が略コの字状となるように、折り曲げ形成されている。
補強部材４０は、フォークリフトが梱包体１を持ち上げたとき、フォークリフトのフォーク部が食い込むことがない強度を有するように、適当な材料を用いて、また、適当な厚みを有して構成されている。
補強部材４０は、上階層３２の下側端部に当接させる上壁部４１（第１の部位）と、この上壁部４１の各長手縁辺から、それぞれ下方へ延設された側壁部４２（第２の部位）を有している。
【００２２】
補強部材４０は、２つの側壁部４２の間に、例えば、フォークリフトのフォーク部を挿入させることができるサイズに形成されている。即ち、上壁部４１の幅は、フォーク部の幅よりも大きく設計されている。
また、補強部材４０は、挿入部３４に挿入されるフォーク部に対応する長さを有する。詳しくは、挿入部３４に挿入されたフォーク部が、包装体１０等に直接触れることを防ぐように、フォーク部の挿入長さ以上の長さを有する。ここで例示する補強部材４０は、フォーク部の挿入長さ以上となるように、梱包体１の正面側から背面側へ延設された挿入部３４の前後方向Ｚの長さと同じ長さに形成されている。
なお、後述する、補強部材５０および補強部材６０においても、補強部材４０と同様の長さを有している。
【００２３】
図４は、図１の梱包体１を正面視したときの構成を示す説明図である。図４は、梱包体１の正面側（または、背面側）を見たときの概略構成を示したもので、補強部材４０が挿入部３４に取付けられた状態を表している。
補強部材４０は、挿入部３４へ挿入したとき、挿入部３４の下端部分に、両側壁部４２の下端部が当接し、挿入部３４の上端部分に上壁部４１が当接する大きさに形成されている。
また、上壁部４１は、フォークリフトが梱包体１を持ち上げたとき、フォークリフトのフォーク部が食い込むことを防ぐため、即ち、上階層３２の各包装体１０等が傷むことを防ぐため、梱包体１の重量が適当に分散する（荷重が拡散する）面積を有する。
即ち、補強部材４０は、梱包体１の重量が分散する（拡散する）面積で上階層３２に当接する。
また、側壁部４２は、高さ方向Ｙについて、例えば、挿入部３４の高さ（幅狭階層３３の高さ）と概ね同じ大きさに形成され、上壁部４１を支持して上階層３２の下側端部に当接させるように構成されている。
【００２４】
次に梱包体１の製造工程を説明する。
適当な個数の包装体１０を並べて、下階層３１を形成させる。次に、下階層３１の上側に包装体１０を並べて、幅狭階層３３を形成させる。
さらに幅狭階層３３の上側に包装体１０を並べて、上階層３２を形成させる。このように、包装体１０を並べてそれぞれの階層を形成させるとき、適宜、梱包フィルム２０を並べた複数個の包装体１０に巻き付けて、各階層の形状が崩れないようにする。
下階層３１に幅狭階層３３を積層させ、さらに、幅狭階層３３に上階層３２を積層させた後、幅狭階層３３の両側方、即ち、各挿入部３４に、それぞれ補強部材４０を取付ける。
【００２５】
補強部材４０は、断面形状の略コの字状の開口部を下方に向けて（下階層３１に向けて）、下階層３１と上階層３２との間に挿入され、補強部材４０の一方の側壁部４２が、それぞれ幅狭階層３３の側面部分に当接する。
即ち、補強部材４０は、２つの側壁部４２が、下階層３１、上階層３２、および、幅狭階層３３の各側面部に対して平行に配置されるように、挿入部３４に取付けられる。
換言すると、補強部材４０は、上階層３２の露出している下側端部、幅狭階層３３の側面部を保護するように、挿入部３４に取付けられる。このように補強部材４０を挿入部３４に取付けることで、挿入部３４に挿入されたフォーク部が包装体１０に直接接触しない。
【００２６】
梱包体１は、挿入部３４に補強部材４０が挿入された後、正面側と背面側との間に位置する側面部を覆うように梱包フィルム２０が巻き付けられ、補強部材４０が各階層とともに梱包フィルム２０に包み込まれる。
このとき、各補強部材４０は、一方の側壁部４２が幅狭階層３３の側壁部分に当接し、他方の側壁部４２が梱包フィルム２０に当接して、挿入部３４に位置決め固定される。
【００２７】
（実施形態２）
実施形態２による製造方法によって製造された梱包体１ａは、前述の梱包体１の補強部材４０に代えて、補強部材５０を備えたものである。他の部分は梱包体１と同様に構成されている。本実施形態では、梱包体１と同様な構成については、説明を省略する。
図５は、本開示の実施形態２による梱包体の製造方法によって製造された梱包体１ａに備える補強部材５０の概観を示す斜視図である。
補強部材５０は、例えば、厚紙などの材料を用いて、長手方向に直交する断面形状が略コの字状となり、側方へ向かって開口するように折り曲げ形成されている。
【００２８】
補強部材５０は、フォークリフトが梱包体１ａを持ち上げたとき、フォークリフトのフォーク部が食い込むことがない強度を有するように、適当な材料を用いて、また、適当な厚みを有して構成されている。
補強部材５０は、挿入部３４の上端部分、即ち、上階層３２の下側端部に当接させる上壁部５１（第１の部位）を有している。また、補強部材５０は、上壁部５１の片側の長手縁端から下方へ延設された側壁部５２（第２の部位）を有している。
補強部材５０は、側壁部５２の下端部に、上壁部５１と平行となるように配置された下壁部５３（第３の部位）を有している。この下壁部５３は、側壁部５２から延設されている。また、補強部材５０の断面形状は、略コの字状となるように形成されている。
補強部材５０は、上壁部５１と下壁部５３との間に、フォークリフトのフォーク部を挿入させることができるように形成されている。即ち、上壁部５１および下壁部５３は、上記のフォーク部を挿入することができる（片側のフォーク部の横幅よりも長い）短手方向の長さを有し、また、上壁部５１と下壁部５３との間隔は、上記のフォーク部が挿入することができる長さに（フォーク部の厚みよりも大きく）設けられている。
【００２９】
図６は、図５の補強部材５０を取付けた梱包体１ａを正面視したときの構成を示す説明図である。図６は、梱包体１ａの正面側（または、背面側）を見たときの概略構成を示したもので、補強部材５０を挿入部３４に取付けた状態を表している。
補強部材５０は、フォーク部を挿入部３４へ挿入したとき、挿入部３４の下端部分に下壁部５３が当接し、挿入部３４の上端部分に上壁部５１が当接する大きさに形成されている。
また、上壁部５１は、フォークリフトが梱包体１ａを持ち上げたとき、フォークリフトのフォーク部が食い込むことを防ぐため、即ち、上階層３２の各包装体１０が傷むことを防ぐため、梱包体１ａの重量が適当に分散する（荷重が拡散する）面積を有する。
即ち、補強部材５０は、梱包体１ａの重量が分散する（拡散する）面積で上階層３２に当接する。
また、側壁部５２は、高さ方向Ｙについて、例えば、挿入部３４の高さ（幅狭階層３３の高さ）と概ね同じ大きさに形成され、上壁部５１を支持して上階層３２の下側端部に当接させるように構成されている。
【００３０】
次に梱包体１ａの製造工程を説明する。
前述の梱包体１を製造するときと同様に、適当な個数の包装体１０を並べて、下階層３１、幅狭階層３３、上階層３２を形成させる。また、適宜、梱包フィルム２０を複数個の包装体１０に巻き付けて、各階層の形状が崩れないようにする。
上記のように各階層を積層させた後、幅狭階層３３の両側方、即ち、各挿入部３４に、それぞれ補強部材５０を取付ける。
【００３１】
補強部材５０は、断面形状の略コの字状の開口部を梱包体１の側方に向けて、下階層３１と上階層３２との間に挿入され、各補強部材５０の側壁部５２が、それぞれ幅狭階層３３の側面部に当接する。
また、上壁部５１が挿入部３４の上端部分（上階層３２の下側端部）に当接し、下壁部５３が挿入部３４の下端部分（下階層３１の上側端部）に当接する。
換言すると、上階層３２の下側端部、下階層３１の上側端部、幅狭階層３３の側面部分がフォーク部と直接接触することがないように、それぞれ挿入部３４に取付けられ、補強部材５０は、下階層３１と上階層３２との間隔を安定させる。
【００３２】
なお、ここで例示した梱包体１ａは、補強部材５０の開口部分を外側に向けて取付けているが、上記の補強部材５０の開口部分を幅狭階層３３の側面部へ向けて取付けてもよい。
即ち、補強部材５０は、側壁部５２が、下階層３１、上階層３２、および、幅狭階層３３の各側面部に対して平行配置されるように、挿入部３４に取付けられる。
また、補強部材５０は、側壁部５２が、幅狭階層３３の側面部に当接する構成に限定されず、フォーク部を挿入部３４へ挿入したときに障害とならない位置であれば、挿入部３４の（上階層３２と下階層３１との間において）いずれの位置に配置させてもよい。
例えば、補強部材５０の略コの字状の開口部分を幅狭階層３３の側面部へ向けて、側壁部５２が、上階層３２の側面部と下階層３１の側面部とを繋ぐように、補強部材５０を梱包体１ａに取付けることも可能である。
【００３３】
梱包体１ａは、挿入部３４に補強部材５０が挿入された後、梱包体１ａの正面側と背面側との間に位置する側面部を覆うように梱包フィルム２０が巻き付けられ、補強部材５０が各階層とともに梱包フィルム２０に包み込まれる。
このとき、各補強部材５０は、側壁部５２が幅狭階層３３の側壁部分に当接し、上壁部５１の先端部分と下壁部５３の先端部分（補強部材５０の開口部分）が梱包フィルム２０に当接して、挿入部３４に位置決め固定される。
【００３４】
（実施形態３）
実施形態３による製造方法によって製造された梱包体１ｂは、例えば、前述の梱包体１の補強部材４０に代えて、補強部材６０を備えたものである。
他の部分は梱包体１と同様に構成されている。ここでは、梱包体１と同様な構成については、説明を省略する。
図７は、本開示の実施形態３による梱包体の製造方法によって製造された梱包体１ｂに備える補強部材６０の概観を示す斜視図である。
補強部材６０は、例えば、厚紙などの材料を用いて、長手方向に直交する断面がボックス形状となるように折り曲げ形成されている。
補強部材６０は、フォークリフトが梱包体１ｂを持ち上げたとき、フォークリフトのフォーク部が食い込むことがない強度を有するように、適当な材料を用いて、また、適当な厚みを有して構成されている。
【００３５】
補強部材６０は、挿入部３４の上端部分、即ち、上階層３２の下側端部に当接させる上壁部６１（第１の部位）、下階層３１の上側端部に当接させる下壁部６３（第３の部位）、幅狭階層３３の側面部分に当接させる側壁部６２（第２の部位）を有している。なお、側壁部６２は、上壁部６１と下壁部６３との間を繋ぐように２つ設けられて上記のボックス形状を形成している。換言すると、補強部材６０は、２つの側壁部６２の先端部分を繋ぐように下壁部６３を備えている。また、補強部材６０は、ボックス形状を形成する片側の側壁部６２が、幅狭階層３３に当接するように構成されている。
補強部材６０は、２つの側壁部６２の間に、例えば、フォークリフトのフォーク部を挿入させることができるように形成されている。即ち、上壁部６１および下壁部６３は、フォーク部（片側のフォーク部）を挿入することができる短手方向の大きさを有している。
【００３６】
図８は、図７の補強部材６０を取付けた梱包体１ｂを正面視したときの構成を示す説明図である。図８は、梱包体１ｂの正面側（背面側）を見たときの概略構成を示したもので、補強部材６０を挿入部３４に取付けた状態を表している。
補強部材６０は、挿入部３４へ挿入したとき、挿入部３４の下端部分（下階層３１の上側端部）に下壁部６３が当接し、挿入部３４の上端部分（上階層３２の下側端部）に上壁部６１が当接する大きさに形成されている。
また、上壁部６１は、フォークリフトが梱包体１ｂを持ち上げたとき、フォークリフトのフォーク部が食い込むことを防ぐため、即ち、上階層３２の各包装体１０等が傷むことを防ぐため、梱包体１ｂの重量が適当に分散する（荷重が拡散する）面積を有する。
即ち、補強部材６０は、梱包体１ｂの重量が分散する（拡散する）面積で上階層３２に当接する。
また、側壁部６２は、高さ方向について、例えば、挿入部３４の高さ（幅狭階層３３の高さ）と概ね同じ大きさに形成され、上壁部６１を支持して上階層３２の下側端部に当接させるように構成されている。
【００３７】
次に、梱包体１ｂの製造工程を説明する。
前述の梱包体１を製造するときと同様に、適当な個数の包装体１０を並べて、下階層３１、幅狭階層３３、上階層３２を形成させる。また、適宜、梱包フィルム２０を複数個の包装体１０に巻き付けて、各階層の形状が崩れないようにする。
上記のように各階層を積層させた後、幅狭階層３３の両側方、即ち、各挿入部３４に、それぞれ補強部材６０を取付ける。
【００３８】
補強部材６０は、上壁部６１を上階層３２側に配置させ、下壁部６３を下階層３１側に配置させて、下階層３１と上階層３２との間に挿入される。このように補強部材６０を挿入部３４に挿入すると、片側の側壁部６２が幅狭階層３３の側面部分に当接する。
即ち、補強部材６０は、２つの側壁部６２が、下階層３１、上階層３２、および、幅狭階層３３の各側面部に対して平行配置されるように、挿入部３４に取付けられる。
また、上壁部６１が挿入部３４の上端部分（上階層３２の下側端部）に当接し、下壁部６３が挿入部３４の下端部分（下階層３１の上側端部）に当接する。
換言すると、補強部材６０は、下階層３１と上階層３２との間隔を安定させ、また、上階層３２の下側端部、下階層３１の上側端部、幅狭階層３３の側面部分がフォーク部と直接接触することがないように、それぞれ挿入部３４に取付けられる。
【００３９】
梱包体１ｂは、挿入部３４に補強部材６０が挿入された後、梱包体１ｂの正面側と背面側との間に位置する側面部を覆うように梱包フィルム２０が巻き付けられ、補強部材６０が各階層とともに梱包フィルム２０に包み込まれる。
このとき、各補強部材６０は、前述のように片側（一方）の側壁部６２が幅狭階層３３の側壁部分に当接し、他方の側壁部６２が梱包フィルム２０に当接して、挿入部３４に位置決め固定される。
【００４０】
実施形態１から実施形態３においては、下階層３１、幅狭階層３３、上階層３２を積層した後、挿入部３４に補強部材４０，５０，６０のいずれかを取付けているが、下階層３１に幅狭階層３３を積層し、挿入部３４となる部位へ補強部材４０，５０，６０のいずれかを取付け、その上に上階層３２を積層して梱包体１，１ａ，１ｂを完成させてもよい。
また、挿入部３４に補強部材４０，５０，６０のいずれかを取付けるとき、挿入部３４または補強部材４０，５０，６０の適当な位置に両面テープを取付けて、補強部材４０，５０，６０を位置決め固定して梱包体１，１ａ，１ｂを製造してもよい。
【００４１】
以上のように実施形態１から実施形態３で説明した梱包体によれば、包装体１０を多数梱包した梱包体１，１ａ，１ｂをフォークリフトで運搬するとき、フォーク部が当接する包装体１０を潰す、もしくは傷めることを防ぐことができる。特に、梱包体１，１ａ，１ｂにフォーク部を接近させるときや、梱包体１，１ａ，１ｂを上方へ持ち上げるときに梱包体１，１ａ，１ｂ、もしくは包装体１０を傷めることを防ぐことができる。
また、側壁部４２，５２，６２は、上階層３２の下端部と下階層３１の上端部に接するように設けられ、補強部材４０，５０，６０は、上階層３２を支持するため、梱包体１，１ａ，１ｂの強度を高めることができる。そうすると、例えば、複数の梱包体１，１ａ，１ｂを積み上げられる場合、下側に配置された梱包体１，１ａ，１ｂが傷むことを防ぐことができる。また、上階層３２が挿入部３４側に押し潰されることも防ぐことができる。
このように、梱包体１，１ａ，１ｂの強度を高めることで、荷崩れ等を防ぐことができ、フォークリフトを使用して効率よく梱包体を運搬することができる。
【符号の説明】
【００４２】
１，１ａ，１ｂ    梱包体
１０    包装体
１１    トイレットペーパー
２０    梱包フィルム
３１    下階層
３２    上階層
３３    幅狭階層
３４    挿入部
４０，５０，６０    補強部材
４１，５１，６１    上壁部
４２，５２，６２    側壁部
５３，６３    下壁部
Ｘ    左右方向
Ｙ    高さ方向
Ｚ    前後方向
【図１】
0003233887.tif 000003
【図２】
0003233887.tif 000004
【図３】
0003233887.tif 000005
【図４】
0003233887.tif 000006
【図５】
0003233887.tif 000007
【図６】
0003233887.tif 000008
【図７】
0003233887.tif 000009
【図８】
0003233887.tif 000010